(57)【要約】【課題】追記ディスクのパワーキャリブレーションエリアの節約を図ったキャリブレーション方法を提供する。【解決手段】光ディスク装置におけるパワーキャリブレーション方法において、実際にユーザデータを記録する記録ディスクとは別のディスクに参照パワーキャリブレーションを行ってキャリブレーションデータを予め取得して、このデータをメモリに記憶させておき、実際にユーザデータを記録する記録ディスクに記録を行う際に前記メモリに記憶させておいたキャリブレーションデータを利用して実パワーキャリブレーションを行う。【選択図】　　　　図３
2004086960.tif 000002
【特許請求の範囲】
【請求項１】
光ディスク装置におけるパワーキャリブレーション方法において、実際にユーザデータを記録する記録ディスクとは別のディスクに参照パワーキャリブレーションを行ってキャリブレーションデータを予め取得して、このデータをメモリに記憶させておき、実際にユーザデータを記録する記録ディスクに記録を行う際に前記メモリに記憶させておいたキャリブレーションデータを利用して実パワーキャリブレーションを行うことを特徴とするパワーキャリブレーション方法。
【請求項２】
請求項１に記載のパワーキャリブレーション方法において、追記禁止型ディスク、あるいは、ユーザの指定があったディスクに対して前記参照キャリブレーションを行って前記キャリブレーションデータを取得することを特徴とするパワーキャリブレーション方法。
【請求項３】
請求項１または２に記載のパワーキャリブレーション方法において、前記キャリブレーションデータが、少なくとも記録温度と、ディスクの種類と、最適パワー値を含んでおり、前記記録ディスクに実キャリブレーションを行う際に、少なくとも記録温度と、当該記録ディスクの種類とを検出して、この記録温度とディスク種類が一致するキャリブレーションデータが前記メモリに存在する場合に、当該一致するキャリブレーションデータの最適パワー値（参照最適パワー値）を基準にしてパワー値を振り分けて前記実パワーキャリブレーションを行うことを特徴とするパワーキャリブレーション方法。
【請求項４】
請求項１または２に記載のパワーキャリブレーション方法において、前記記録温度と、前記記録ディスクの種類とを検出して、この記録温度とディスク種類とが一致するキャリブレーションデータが前記メモリに存在しない場合に、前記記録ディスクに対して通常のパワーキャリブレーションを行うことを特徴とするパワーキャリブレーション方法。
【請求項５】
請求項３に記載のパワーキャリブレーション方法において、前記記録ディスクに実パワーキャリブレーションを行って得られた実最適パワー値と、この実パワーキャリブレーションに用いた前記参照最適パワー値とが異なる場合には、前記メモリに記憶されている参照最適パワー値を前記実パワーキャリブレーションにて新たに得た実最適パワー値に書き換えることを特徴とするパワーキャリブレーション方法。
【請求項６】
請求項１ないし５に記載のパワーキャリブレーション方法において、前記参照キャリブレーションを、キャリブレーションエリアを構成する規格フレームを１５フレーム以上使用して行うことを特徴とするパワーキャリブレーション方法。
【請求項７】
請求項１ないし６に記載のパワーキャリブレーション方法において、前記実キャリブレーションにおいて、キャリブレーションエリアを構成する規格フレームの１５フレーム以下にパワーを振り分けて行うことを特徴とするパワーキャリブレーション方法。
【請求項８】
光ディスク装置におけるパワーキャリブレーションを実行するプログラムであって、
（１）前記光ディスク装置にローディングされているディスクが、追記禁止型ディスクか否か、あるいは、ユーザの指定がなされているディスクか否かを検出するステップと、
（２）当該ディスクが追記禁止型ディスクまたはユーザに指定されているディスクである場合に、当該追記禁止型ディスクまたはコマンドによって指定されているディスクを使用して参照パワーキャリブレーションを行って、記録温度と、当該ディスクの種類と、最適パワー値を少なくともを含むキャリブレーションデータを取得するステップと、
（３）前記ステップ（２）にて取得したキャリブレーションデータをメモリに記録するステップと、
（４）実際にユーザデータを記録する記録ディスクに記録を行う際に、少なくとも記録温度と、当該記録ディスクの種類を読みとって、この記録温度とディスク種類が一致するキャリブレーションデータが前記メモリに存在するか否かをチェックするステップと、
（５）記録温度とディスク種類が一致するキャリブレーションデータが前記メモリに存在する場合に、当該一致するキャリブレーションデータの参照最適パワー値を中心にパワーを振り分けて、前記記録ディスクに対して実パワーキャリブレーションを行うステップと、
を具えることを特徴とするプログラム。
【請求項９】
請求項８に記載のプログラムにおいて、前記ステップ（２）で行う参照パワーキャリブレーションをキャリブレーション領域の規格フレームを１５以上使用して行うことを特徴とするプログラム。
【請求項１０】
請求項８または９に記載のプログラムにおいて、前記ステップ（５）で決定するパワー振り分けを１５以下の規格フレームに行うことを特徴とするプログラム。
【請求項１１】
請求項８または９に記載のプログラムにおいて、前記ステップ（４）において、少なくとも記録温度とディスク種類が一致するキャリブレーションデータが前記メモリに存在しない場合に、前記記録ディスクに対して通常のキャリブレーションを行わせることを特徴とするプログラム。
【請求項１２】
請求項１１に記載のプログラムにおいて、前記通常のキャリブレーション動作における記録温度と、記録ディスクの種類と、最適パワー値を少なくとも含むキャリブレーションデータを取得して、これを前記メモリに記憶させることを特徴とするプログラム。
【請求項１３】
請求項８ないし１２のいずれかに記載のプログラムにおいて、前記ステップ（５）で実行した実キャリブレーションで決定した実最適パワー値が、当該実キャリブレーションで用いた参照最適パワー値と異なる場合に、当該参照最適パワー値を前記実最適パワー値に書き換えることを特徴とするプログラム。
【発明の詳細な説明】
【０００１】
【発明の属する技術分野】
本発明は、光ディスク装置におけるパワーキャリブレーション方法に関するものであり、特に、追記型光ディスクに対するパワーキャリブレーション動作において、キャブレーションエリアを節約することができるパワーキャリブレーション方法に関する。
【０００２】
【従来の技術】
光ディスクへ情報の記録を行う際には、記録に先立って光ディスクのパワーキャリブレーションエリアに、記録パワー値を変えて試し書きを行うことがなされている。これは、安定した記録品位を得るためにのものであり、この試し書きを行った記録エリアを再生して、再生ＲＦ信号のβ値を計算し、最適記録パワー値を決定して実データの記録が行われる。
【０００３】
図７は、ＣＤ−Ｒ／ＲＷ規格によって規定されているパワーキャリブレーションエリア（以下「ＰＣＡ」という）の構成を説明する図である。ＰＣＡは１００回分の試し書きができるようになっており、使用回数をカウントするカウントエリアと、実際に試し書きを行うテストエリアとから構成されている。カウントエリアは、１回の使用で１フレーム長に、また、テストエリアは、１回の使用で１５フレーム長に記録されるように規格されており、テストエリアは１５フレーム単位で１パーティションとして使用する。本明細書では、カウントエリアをＣＦ００１〜ＣＦ１００と、テストエリアをＴＰ００１〜ＴＰ１００と、また、１５のフレームをＴＦ０１〜ＴＦ１５と表現する。
【０００４】
図８は、ＣＤ−Ｒ規格のＰＣＡ１回分の使用例を示す図である。従来のＣＤ−Ｒ規格では、１回の試し書きで１５フレーム（図８（Ａ）、（ＴＦ０１〜ＴＦ１５）を使用するように規定されており、全体で１００回の試し書きが可能である（ＣＦ００１〜ＣＦ１００、ＴＰ００１〜ＴＰ１００）。図８（ｂ）に示すように、試し書き用レーザパワーは１５段階に設定されており、図８（ｃ）に示すように、レーザパワーを段階的に変化させてＰＣＡに記録を行い、この中から最適なレーザパワー値を選択するようにしている。
【０００５】
【発明が解決しようとする課題】
しかしながら、この方法では、１枚の記録ディスクに対して１００回しかキャリブレーションを行うことができないため、複数セッションを記録したり、記録に失敗するとＰＣＡが足りなくなってしまうという問題がある。また、１回のキャリブレーション動作に、１５フレームしか使用できないため、キャリブレーションが確実に行われないといった問題もある。
【０００６】
キャリブレーションエリアの節約を図った光ディスク装置としては、例えば、特開平１１−２５０４８１号公報に開示されたものがある。図９は、この光ディスク装置における動作を示すブロック図である。この装置では、追記型ディスクに記録を行う際に、当該追記型ディスクに１度試し書きを行って最適記録パワー値を検出し、そのパワー値でＰＣＡの再生を行って再生ＲＦ信号の振幅レベルを検出して、この最適記録パワー値（１）とこれに対応する振幅レベル（２）とを当該追記ディスクの識別コード（３）と共にメモリに記憶しておき、同じ追記ディスクに追記録を行う際に、メモリに記録されている記録パワー（１）で再生を行い、その再生ＲＦ信号の振幅レベルと、メモリに記録されている振幅レベルとを比較して、両者の差異が所定のレベル内にある場合は、パワーキャリブレーションを行わずにそのパワー値（１）で追記を行い、両者の差異が所定のレベルを越えた場合にのみパワーキャリブレーションを行って最適パワー値（５）を取得して、このパワー値で追記するようにしている。
【０００７】
すなわち、振幅レベルにさほど変化がない場合には、改めて試し書きを行わず、以前に決定して記憶しておいた最適パワー値をそのまま用いるようにしているため、最適パワー値が同じ場合は、パワーキャリブレーションエリアを節約できる。
【０００８】
しかしながら、この方法でも、振幅レベルが異なる場合には、従来と同様にパワーキャリブレーションを再度行う必要があり、この場合やはりパワーキャリブレーションエリアが不足するといった事態が生じる。また、振幅レベルの差の大小を判定するしきい値を大きく設定すると、多少の差があっても、試し書きで決定したパワーで追記が行われるため、正確なパワーキャリブレーションが行われず、正確さを期してしきい値を小さく設定すると、わずかの差でも試し書きで決定したパワーを使用せずに、再度パワーキャリブレーションを行うことになるので、キャリブレーションエリアの節約があまり図れないといった問題がある。
【０００９】
本発明は、このような問題を解決すべくなされたものであり、基準となるパワー値を得るためのキャリブレーションにフレーム数を制限することなく使用して、確実なキャリブレーションを行うことが可能であり、実データを記録する際には、キャリブレーションに使用する領域を大幅に節約することができるパワーキャリブレーション方法を提供しようとするものである。
【００１０】
【課題を解決するための手段】
上記課題を解決するために、本発明の光ディスク装置におけるパワーキャリブレーション方法は、実際にユーザデータを記録する記録ディスクとは別のディスクに参照パワーキャリブレーションを行ってキャリブレーションデータを予め取得して、このデータをメモリに記憶させておき、実際にユーザデータを記録する記録ディスクに記録を行う際に前記メモリに記憶させておいたキャリブレーションデータを利用して実パワーキャリブレーションを行うことを特徴とする。
【００１１】
このように、本発明の方法では、実際にユーザデータを記録するディスクとは別のディスクに参照キャリブレーションを行って、キャリブレーションに必要なデータを予め取得しておき、記録ディスクに対して実際に記録を行う際には、この取得しておいたデータを基準にして実パワーキャリブレーションを行うようにしている。従って、実キャリブレーションを行う記録ディスクのキャリブレーション領域を大幅に節約することができると共に、２重にパワーキャリブレーションを行うことによって、より正確に最適パワー値を得ることができる。
【００１２】
本発明のパワーキャリブレーション方法においては、追記禁止型ディスク、あるいは、ユーザの指定があったディスクに対して前記参照キャリブレーションを行って前記キャリブレーションデータを取得するようにする。
【００１３】
すなわち、追記禁止型ディスクにも、追記型ディスクと同様にキャリブレーションエリア設けられているが、追記禁止型ディスクでは通常キャリブレーションエリアが使用されないため、このエリアを十分に使用して参照キャリブレーションを行うことができる。また、追記型ディスクであっても、ユーザが不要としたディスクでキャリブレーション領域が余っているものについては、このキャリブレーション領域をなんら使用することなく、いずれ破棄されるものであるため、ユーザの指定によって、参照キャリブレーションにこの領域を利用することができる。
【００１４】
さらに、本発明のパワーキャリブレーション方法においては、前記キャリブレーションデータが、少なくとも記録温度と、ディスクの種類と、最適パワー値を含んでおり、前記記録ディスクに実キャリブレーションを行う際に、少なくとも記録温度と、当該記録ディスクの種類とを検出して、この記録温度とディスク種類が一致するキャリブレーションデータが前記メモリに存在する場合に、当該一致するキャリブレーションデータの最適パワー値（参照最適パワー値）を基準にしてパワー値を振り分けて前記実パワーキャリブレーションを行うことを特徴とする。
【００１５】
このように、少なくとも記録温度と、ディスクの種類が一致するキャリブレーションデータから、第２のパワーキャリブレーションに用いる参照パワー値を得るようにする。少なくとも記録温度とディスクの種類が一致するデータの最適パワー値であれば、ローディング中の記録ディスクに条件が一致した、記録ディスクの最適パワー値にかなり近い参照パワー値を得ることができる。従って、この参照パワー値を中心にパワーの振り分けを行えば、より確実にパワーキャリブレーションを行うことができる。
【００１６】
なお、前記記録温度と、前記記録ディスクの種類とを検出して、この記録温度とディスク種類とが一致するキャリブレーションデータが前記メモリに存在しない場合に、前記記録ディスクに対して通常のパワーキャリブレーションを行って、最適記録パワーを決定する。
【００１７】
ここで、通常のパワーキャリブレーションとは、従来のものであり、記録ディスクのパワーキャリブレーションエリアにおいて、１５の規格フレームを用いて行うパワーキャリブレーションである。
【００１８】
また、本発明のパワーキャリブレーション方法において、前記記録ディスクに実パワーキャリブレーションを行って得られた実最適パワー値と、この実パワーキャリブレーションに用いた前記参照最適パワー値とが異なる場合には、前記メモリに記憶されている参照最適パワー値を前記実パワーキャリブレーションにて新たに得た実最適パワー値に書き換えることを特徴とする。次回のキャリブレーションに備えて、最新データを蓄積しておくことが好ましいためである。
【００１９】
本発明のパワーキャリブレーション方法では、前記参照キャリブレーションを、キャリブレーションエリアを構成する規格フレームを１５フレーム以上使用して行うことが好ましい。
【００２０】
このように、本発明によれば、参照最適パワー値を得るキャリブレーション動作において、規格にとらわれず必要なフレームを自在に使用してキャリブレーションを行うことができるので、より的確に参照パワー値を得ることができる。
【００２１】
また、本発明のパワーキャリブレーション方法では、前記実キャリブレーションにおいて、キャリブレーションエリアを構成する規格フレームの１５フレーム以下にパワーを振り分けて行うことが好ましい。
【００２２】
本発明の方法では、実キャリブレーションに用いる参照パワー値は、少なくとも記録温度と、ディスクタイプが同じ条件で参照キャリブレーショを行って得ているため、記録ディスクの最適パワー値に近い参照パワー値を得ることができる。したがって、パワー振り分けの範囲は狭いものでよく、この結果、記録ディスクのパワーキャリブレーションエリアの使用量を少なくすることができ、実キャリブレーションを１５フレーム以下で行うことができる。
【００２３】
本発明は、更に光ディスク装置におけるパワーキャリブレーションを実行するプログラムに関するものであり、このプログラムは、
（１）前記光ディスク装置にローディングされているディスクが、追記禁止型ディスクか否か、あるいは、ユーザの指定がなされているディスクか否かを検出するステップと、
（２）当該ディスクが追記禁止型ディスクまたはユーザに指定されているディスクである場合に、当該追記禁止型ディスクまたはコマンドによって指定されているディスクを使用して参照パワーキャリブレーションを行って、記録温度と、当該ディスクの種類と、最適パワー値を少なくともを含むキャリブレーションデータを取得するステップと、
（３）前記ステップ（２）にて取得したキャリブレーションデータをメモリに記録するステップと、
（４）実際にユーザデータを記録する記録ディスクに記録を行う際に、少なくとも記録温度と、当該記録ディスクの種類を読みとって、この記録温度とディスク種類が一致するキャリブレーションデータが前記メモリに存在するか否かをチェックするステップと、
（５）記録温度とディスク種類が一致するキャリブレーションデータが前記メモリに存在する場合に、当該一致するキャリブレーションデータの参照最適パワー値を中心にパワーを振り分けて、前記記録ディスクに対して実パワーキャリブレーションを行うステップと、
を具えることを特徴とする。
【００２４】
本発明のプログラムにおいて、前記ステップ（２）で行う参照パワーキャリブレーションをキャリブレーション領域の規格フレームを１５以上使用して行うことが好ましい。
【００２５】
また、ステップ（５）で決定するパワー振り分けを１５以下の規格フレームに行うことが好ましい。
【００２６】
さらに、本発明のプログラムにおいて、前記ステップ（４）において、少なくとも記録温度とディスク種類が一致するキャリブレーションデータが前記メモリに存在しない場合に、前記記録ディスクに対して通常のキャリブレーションを行わせることを特徴とする。
【００２７】
この場合、前記通常のキャリブレーション動作における記録温度と、記録ディスクの種類と、最適パワー値を少なくとも含むキャリブレーションデータを取得して、これを前記メモリに記憶させて、メモリ内のキャリブレーションデータをより充実させるようにする。
【００２８】
また、ステップ（５）で実行した実キャリブレーションで決定した実最適パワー値が、当該実キャリブレーションで用いた参照最適パワー値と異なる場合に、当該参照最適パワー値を前記実最適パワー値に書き換えることを特徴とする。
【００２９】
光ピックアップの経時変化等により、最適パワー値が変動することがあるので、その変化に対応するためである。
【００３０】
【発明の実施の形態】
以下に、本発明の実施形態について説明する。図１は、本発明のパワーキャリブレーション方法を実行する光ディスク装置の一例の回路構成を示すブロック図である。
図１に示すように、この光ディスク装置は、光ディスク媒体１に対して情報の書き込み／読み出しを行う光ピックアップ２、光ピックアップ２で取り出した再生信号を処理する信号検出回路３と、信号検出回路３の出力を処理する再生信号処理回路４と、光ピックアップ２を光ディスク媒体１のトラック方向に移動させるスレッドモータ５と、光ディスク１を回転させるスピンドルモータ６と、サーボ制御回路７と、β値検出回路８と、光ピックアップ２に搭載したレーザを駆動するレーザ駆動回路９と、光ピックアップ２のレーザ記録動作を制御する記録制御回路１０と、記録信号生成回路１１と、これらの各回路を制御するコントロール回路１２とを具える。このコントロール回路１２は、記録レーザパワー決定回路１３を具えており、記録に用いるレーザパワーを決定する。また、コントロール回路１２は、キャリブレーションデータを記憶させておくメモリ１５を具えている。
【００３１】
データ再生時には、光ピックアップ２の各種ディテクタからの信号が再生信号検出回路３に供給され、サーボ信号及びＲＦ信号が出力される。サーボ信号はサーボ制御回路７に送られて、制御回路７は光ピックアップ２の出力をサーボ制御する信号を送出する。サーボ制御回路７は、また光ピックアップ２の位置の移動を担うスレッドモータ５へスレッドサーボ信号を、光ディスク１の回転を整えるスピンドルモータ６へスピンドルサーボ信号を出力する。また、このサーボ制御回路７は、サーボ信号に含まれるディスク上のアドレス値や、サーボ信号自体をコントロール回路１２に供給する。
【００３２】
ＲＦ信号は、再生信号検出回路３から、再生信号処理回路４とβ値検出回路８へ送られる。再生信号処理回路４に送られたＲＦ信号はデコードされて、情報データとして上位装置へ出力される。再生信号処理回路４は、このＲＦ信号に含まれるデータのアドレス値をコントロール回路１２へ出力する。
【００３３】
β値検出回路８は、入力ＲＦ信号のピーク値の極大値Ｒ１と極小値Ｒ２を検出して、以下の式からβ値を算出して、記録レーザパワー決定回路１３に出力する。
β　＝　（Ｒ１＋Ｒ２）／（Ｒ１−Ｒ２）
【００３４】
一方、データ記録時には、上位装置から記録信号生成回路１１にデータが入力され、エンコードされて、記録制御回路１０に送られる。記録制御回路１０の制御の下に、レーザ駆動回路９は記録レーザパワー決定回路１３で決定された記録レーザパワーとなるように光ピックアップ２のレーザを駆動して、エンコードされたデータを光ディスク１に記録してゆく。光ピックアップ２には、温度センサ回路１４が内蔵されており、この回路は現在の温度を電圧値に変換してコントロール回路１２に出力する。
【００３５】
コントロール回路１２ではβ検出回路８からβ値を、温度センサ回路１４から電圧値を受信して、記録レーザパワー決定手段１３により、試し書き用記録レーザパワー、あるいは、実際に記録を行う最適記録レーザパワー値を算出して、記録制御回路１０へ出力する。
【００３６】
次いで、本発明のパワーキャリブレーションの手順を具体的に説明する。図１０は、本発明の方法におけるパワーキャリブレーション動作を示すブロック図である。実際にユーザデータを記録する記録ディスクと異なる追記禁止型ディスクに参照キャリブレーションを行って、ディスクタイプ（１）、記録温度（２）、最適パワー値（３）等のキャリブレーションデータを取得しておき、記録ディスクに対しては、この最適パワー値（３）を中心にしてパワー振り分け（４）を行って、この振り分け範囲で実キャリブレーションを行うようにしている。すなわち、参照キャリブレーションは、記録ディスクとは別の、追記禁止型ディスクの本来使用されないキャリブレーションエリアに行うため、キャリブレーションエリアのフレーム数を制限する必要がなく、正確に参照パワー値を得ることができる。また、参照キャリブレーションと、実キャリブレーションの２段構成でキャリブレーション動作を行っているため、キャリブレーションの精度が向上し、さらに、実際にデータを記録する記録ディスク（追記型ディスク）のキャリブレーションエリアを節約することができる。
【００３７】
図２、及び図３は、追記禁止ディスクを用いて行う、キャリブレーションデータ取得用の参照キャリブレーション動作と、記録ディスクへ実データを記録する際に行う実キャリブレーションデータを説明するためのフローチャートである。
【００３８】
図２に、キャリブレーションデータ取得手順を示す。ドライブは、まず現在コマンド処理を行っていない空き時間であるかどうかを判断する（ステップＳ１０１）。空き時間であれば、現在ローディングしているディスクがデータ追記禁止ディスクであるかどうかを判断する（ステップＳ１０２）。データ追記禁止ディスクであれば、パワーキャリブレーション領域に空きがあるかどうかを判断する（ステップＳ１０３）。パワーキャリブレーション領域に空きがあれば、光ピックアップ２に設けた温度センサ回路１４から現在温度を取得する（ステップＳ１０４）。この取得した現在温度と、すでにキャリブレーション済みの記録速度の組み合わせから、今回キャリブレーションデータ取得のために行う記録速度を選択する（ステップＳ１０５）。
【００３９】
記録速度の選択は以下のようにして行う。記録速度が、８倍、４倍、２倍と３種類ある場合、０℃〜６０℃まで５℃ごとにそれぞれの速度に対して、記録速度と温度の組み合わせを設定しておき、それぞれの組み合わせについてキャリブレーションデータを取得する。例えば、現在温度が３２℃であれば、いままでに、同種類のディスクで３０℃〜３４℃の範囲の、いずれかの記録速度でキャリブレーションを行ってその組み合わせをメモリ１６に記憶しているかどうかを判断して、メモリに記憶されていない新しい組み合わせであれば、その記録速度を決定して、次のステップ（ステップＳ１０６）に進む。なお、この組み合わせは、イニシャライズ時に読み込まれるディスク情報によって判別されるディスクの種類毎に設定する。
【００４０】
具体的には、現在ローディング中のディスク種類で、３０℃〜３４℃の温度範囲で、８倍の記録速度の組み合わせにおけるキャリブレーション値がメモリ１６にすでに記憶されているのであれば、今回は記録速度４倍を選択してデータ取得用のキャリブレーションを行い、８倍のキャリブレーション値と、４倍のキャリブレーション値がすでに記憶されている場合は、２倍を選択してデータ取得用のキャリブレーションを行うようにする。また、この温度範囲で、８倍、４倍、２倍のすべての組み合わせがキャリブレーション済みであれば、記録速度の決定は行わない。
【００４１】
このようにして、記録速度を決定して、その速度で参照キャリブレーション動作を行い（ステップＳ１０７）、ディスクの種類、記録速度、記録温度、最適記録パワー値等のキャリブレーションに必要なデータをメモリ１５に記録して（ステップＳ１０８）、空き時間判断処理（ステップＳ１０１）に戻る。
【００４２】
図３は、図２の手順で取得したキャリブレーション用データを使用して、実データ記録ディスクに行う実キャリブレーションの手順を示すフローチャートである。
【００４３】
まず、光ピックアップ２から現在温度を取得して（ステップＳ２０１）、取得した現在温度と、記録速度、ディスク種類との組み合わせと同じデータが、メモリ１５内に登録されているかどうかを判断する（ステップＳ２０２）。ここで、同じ組み合わせのデータが登録されていない場合は、通常のパワーキャリブレーション動作を行う。また、同じ組み合わせのキャリブレーションデータが登録されている場合は登録されているデータの最適パワー値を基準にしてパワー振り分け範囲を変更してキャリブレーション動作を行う（ステップＳ２０３）。このパワー振り分け範囲の変更について、図４及び図５を参照して説明する。
【００４４】
図４は、通常のキャリブレーション動作における記録パワー振り分け範囲を示す図であり、図５は、本発明における変更した記録パワー振り分け範囲を示す図である。
図４に示す、通常のキャリブレーション動作では、記録パワーを１フレーム毎に変更して、ＰＷ０１〜ＰＷ１５までの１５段階に記録パワーを振り分けており、この中から最適パワーを選択するようにしている。
【００４５】
図２に示すキャリブレーションデータ取得時に、例えばＰＷ０９を最適記録パワー値に決定しており、図３のステップＳ２０１、Ｓ２０２において、メモリ１５に登録されているキャリブレーションデータのうち、光ピックアップ２から取得した現在温度に該当する最適パワー値がＰＷ０９であった場合、ＰＷ０９の値を中心としてパワー振り分け範囲を決定して実パワーキャリブレーションを行うようにする。この振り分け範囲は、予め実験を行って決めておく。図５に示す例では、ＰＷ０９を中心として５段階に記録パワーを振り分けるようにしており、５フレームを使用して実パワーキャリブレーションを行っている（ステップＳ２０４）。
【００４６】
キャリブレーションを行った後、取得した温度、ディスクの種類、記録速度等のデータと同じデータがメモリ１５に登録されていたかどうかを判断し、登録されていない場合は、図２と同様に、ディスク種類、記録温度、記録速度、最適パワー等のキャリブレーションデータをメモリ１５に記憶させる。（ステップＳ２０７）。取得した温度、ディスクの種類、記録速度等のデータと同じデータがメモリ１５に登録されている場合は、記録に用いた最適パワー値を、メモリに登録してあるキャリブレーションデータの最適パワー値と比較して、同じであれば、動作を終了し、最適パワー値に差がある場合は、メモリのキャリブレーションデータを新しい最適パワー値に書き換えるようにする（ステップＳ２０７）。
【００４７】
ここで、記録ディスクに対して実行したキャリブレーションには５フレームしか使用していないので、残りのフレームを、次回のキャリブレーションに利用することができる。
【００４８】
一方、参照キャリブレーションに使用するキャリブレーションエリアは、１５フレームに限ることなく、それ以上のフレーム数を使用することができると共に、参照キャリブレーションと実キャリブレーションと２段構えでキャリブレーションを行っているので、より確実なキャリブレーションを行いうる。
【００４９】
また、本実施形態では、温度センサ１４を光ピックアップ２の中に設けているが、この限りではなく、温度と記録パワーの関連づけがしやすい場所であれば、どこに設置してもよい。
【００５０】
上述の実施形態では、参照キャリブレーション行いうるディスクであるか否かをドライブ自身が判断しているため、追記禁止型ディスクのみが参照キャリブレーションの対象となっているが、この参照キャリブレーションを行いうるディスクであるか否かをユーザ自身で決定するようにしてもよい。この場合、ホストＰＣ側の記録アプリケーションを変更して、ユーザがドライブにディスクをローディングした後、記録アプリケーションがユーザに参照キャリブレーションを実行するかどうか聞くようにする。ユーザが、実行コマンドを出せば、参照キャリブレーションコマンドをドライブに発行して、実行する。
【００５１】
図６は、ユーザのコマンドによって参照キャリブレーションを実行する場合のドライブ側の動作のフローチャートである。すなわち、記録アプリケーションからの参照キャリブレーション実行コマンドを待って（ステップＳ３０１）、このコマンドの受信後に、図２に示す手順に従って、参照キャリブレーションを実行する。図３のステップＳ３０２〜Ｓ３０７の動作は、図２のＳ１０２〜Ｓ１０８の動作に該当するので、ここでは説明を省略する。
【００５２】
なお、図９に示す従来のパワーキャリブレーションと、図１０に示す本発明のパワーキャリブレーションの主な相違点は、以下の通りである。
参照データ取得処理において
（１）従来の方法では、追記ディスクにパワーキャリブレーションを行って必要なデータを得るようにしているのに対して、本発明の方法では、追記禁止ディスク（またはユーザが指定した追記ディスク）にパワーキャリブレーションを行って必要なデータを得るようにしている。
（２）ここで取得するデータは、従来の方法が（１）最適パワー値と（２）ＲＦ信号の振幅レベルであるのに対して、本発明の方法では、（１）ディスク種類、記録温度、最適パワー値などのキャリブレーションデータである。
（３）このデータは、従来の方法では、各追記ディスク毎にメモリに記憶させているのに対して、本発明の方法では、ディスク種類、記録速度、記録温度等の組み合わせごとに記憶させる。
実データ記録に際してのパワーキャリブレーション処理において
（１）従来の方法では、メモリから（１）最適パワー値と（２）ＲＦ信号の振幅レベルを読み出して、（１）最適パワー値を用いて再生処理を行い、現在の振幅レベル（３）を検出し、（２）と（３）を比較して、この差が小さければ（２）をそのまま用いて記録を行い、差が大きければ、通常のパワーキャリブレーションを行って記録を行う。差が小さければ、キャリブレーションエリアを節約することができる。
これに対して、本発明の方法では、記録ディスクの条件（ディスク種類と記録温度）と合致するキャリブレーションデータをメモリから探し出して、このデータの最適パワー値を基準にしてパワー振り分けを行い、この振り分けを行った範囲でキャリブレーションを行って記録を行う。パワーを振り分けるフレーム数は、通常のキャリブレーションに用いるフレーム数より少ないため、記録ディスクのキャリブレーションエリアを節約することができる。
【００５３】
【発明の効果】
上述したとおり、本発明のパワーキャリブレーション方法によれば、パワーキャリブレーションエリアを使用しないディスクを用いて参照キャリブレーションを行って、この結果を参照して実パワーキャリブレーションを実行するようにしているため、記録ディスクにおける１回のパワーキャリブレーション動作に使用するキャリブレーションエリアが少なくて済む。従って、記録ディスクにおいては、１の試し書きエリアに複数回の試し書きを行うことが可能となり、試し書きエリアを大幅に節約することができる。
【００５４】
また、参照キャリブレーションは、追記禁止型ディスクのパワーキャリブレーション領域や、ユーザが不要と判断したディスクのパワーキャリブレーション領域を用いて行うようにしているので、もともと、使用することのないディスクエリア、あるいは、捨てられる可能性のあるディスクを有効に活用することができる。
【００５５】
さらに、参照キャリブレーションは、使用しないキャリブレーションエリア、あるいは、不要なディスクのキャリブレーションエリアを自由に使用して実行することができるので、従来の規格にとらわれず、１５フレーム以上のエリアを使用してキャリブレーションデータを取得することが可能となるため、より確実なキャリブレーションが可能となる。
【図面の簡単な説明】
【図１】図１は、本発明のパワーキャリブレーション方法を実行する光ディスク装置の回路構成を示す図である。
【図２】図２は、参照キャリブレーションの手順を示すフローチャートである。
【図３】図３は、実キャリブレーションの手順を示すフローチャートである。
【図４】図４は、通常のキャリブレーション動作における記録パワー振り分け範囲を示す図である。
【図５】図５は、本発明における変更した記録パワー振り分け範囲を示す図である。
【図６】図６は、本発明の第２実施形態におけるパワーキャリブレーション方法を示すフローチャートである。
【図７】図７は、ＣＤ−Ｒ／ＲＷ規格によって規定されているパワーキャリブレーションエリア（以下「ＰＣＡ」という）の構成を説明する図である。
【図８】図８は、ＣＤ−Ｒ規格のＰＣＡ１回分の使用例を示す図である。
【図９】図９は、従来のパワーキャリブレーション方法と本発明のパワーキャリブレーション方法との差異を説明するための図である。
【図１０】図１０は、従来のパワーキャリブレーション方法と本発明のパワーキャリブレーション方法との差異を説明するための図である。
【符号の説明】
１　　光ディスク
２　　光ピックアップ
３　　信号検出回路
４　　再生信号処理回路
５　　スレッドモータ
６　　スピンドルモータ
７　　サーボ制御回路
８　　β値検出回路
９　　レーザ駆動回路
１０　記録制御回路
１１　記録信号生成回路
１２　コントロール回路
１３　レーザパワー決定回路
１４　記録温度センサ回路
１５　メモリ
【図１】
2004086960.tif 000003
【図２】
2004086960.tif 000004
【図３】
2004086960.tif 000005
【図４】
2004086960.tif 000006
【図５】
2004086960.tif 000007
【図６】
2004086960.tif 000008
【図７】
2004086960.tif 000009
【図８】
2004086960.tif 000010
【図９】
2004086960.tif 000011
【図１０】
2004086960.tif 000012